(57)【要約】【課題】導電線を迅速かつ容易に接続する。【解決手段】螺子が螺合される螺子孔を有する端子面と、前記螺子孔の内周面の一部が窪んだ溝部と、を備え、前記溝部は、導電線が前記螺子で前記端子面に圧着される場合、前記導電線が前記螺子の周囲に巻回される前に挿入される。【選択図】図１
2007213853.tif 000002
【特許請求の範囲】
【請求項１】
螺子が螺合される螺子孔を有する端子面と、
前記螺子孔の内周面の一部が窪んだ溝部と、を備え、
前記溝部は、
導電線が前記螺子で前記端子面に圧着される場合、前記導電線が前記螺子の周囲に巻回される前に挿入されるものである、ことを特徴とする端子装置。
【請求項２】
前記溝部の面は、前記導電線を抜け難くするための尖り形状であることを特徴とする請求項１に記載の端子装置。
【請求項３】
前記尖り形状は、鋸歯形状であることを特徴とする請求項２に記載の端子装置。
【請求項４】
前記溝部に挿入された導電線は、前記螺子が前記螺子孔に螺合されることにより、前記螺子と前記溝部との間に圧着されることを特徴とする請求項１乃至３の何れかに記載の端子装置。
【請求項５】
前記溝部の方向は前記螺子の螺合方向であることを特徴とする請求項１乃至４の何れかに記載の端子装置。
【請求項６】
前記溝部の方向は前記螺子の螺合方向と交差する方向であることを特徴とする請求項１乃至４の何れかに記載の端子装置。
【請求項７】
前記溝部は、複数であることを特徴とする請求項１乃至６の何れかに記載の端子装置。
【請求項８】
前記複数の溝部の大きさは、異なることを特徴とする請求項７に記載の端子装置。
【請求項９】
前記導電線はケーブルの心線であることを特徴とする請求項１に記載の端子装置。
【発明の詳細な説明】
【技術分野】
【０００１】
本発明は、端子装置に関する。
【背景技術】
【０００２】
導電線と電気的に接続される端子を有する端子装置として、例えば電気配線に用いられる端子台が知られている。端子台は、入力ケーブルと出力ケーブルとの間を電気的に接続するものである。例えば、変電所の配電盤において、電圧変成器からの母線電圧が印加される入力ケーブルと、配電盤内の複数の回路（例えば、計測回路や保護回路）へ母線電圧を印加する出力ケーブルとを電気的に接続する端子台が用いられている。
【０００３】
端子台には、入力ケーブルが接続される入力端子面と、出力ケーブルが接続される出力端子面とが設けられている。そして、端子台に入力ケーブル又は出力ケーブルを接続する際には、各々のケーブルを対応する入力端子面又は出力端子面に固定するための圧着端子が用いられている（例えば特許文献１参照）。
【０００４】
以下、従来の端子装置を用いた端子台について説明する。  
図１１は、従来の端子装置を用いた端子台の一例を示す斜視図である。また図１２は、従来の端子装置を用いた端子台の一例を示す断面図である。尚、図１１に示すように端子台の各辺に沿って、ｘ方向、ｙ方向、ｚ方向とし、矢印の向きを＋側、反対側を−側とする。
【０００５】
端子台１０は、例えば直方体で形成されたものであり、ｙ方向−側の面Ｆには、複数の入力端子面１４（導電体）と、複数の出力端子面１６（導電体）がｚ方向（垂直方向）に設けられている。入力端子１４には、例えば電圧変成器からの母線電圧が印加される入力ケーブル（不図示）が接続され、出力端子１６には、例えば計測回路や保護回路などに母線電圧を出力する出力ケーブル４が接続される。
【０００６】
また、ｘ方向に隣接する入力端子面１４と出力端子面１６とは、端子台１０の内部で、例えば導電線（不図示）によって電気的に接続されている。
【０００７】
螺子孔１２は、出力端子１６に、螺子２０ｂ（雄螺子）と螺合するべく設けられている。また、同様の螺子孔（不図示）が、入力端子面１４に、螺子２０ａ（雄螺子）と螺合するべく設けられている。
【０００８】
尚、端子台１０において、入力端子面１４に入力ケーブル（不図示）を接続する場合と、出力端子面１６に出力ケーブル４を接続する場合の接続方法は同じである。よって、以下の説明では、出力端子面１６に出力ケーブル４を接続する場合のみについて説明することにする。
【０００９】
出力ケーブル４は、不図示の回路（例えば計測回路や保護回路）と、端子台１０の出力端子面１６とを電気的に接続するものである。出力ケーブル４は、心線４ａ、被覆４ｂ、外被４ｃを有している。心線４ａは、出力ケーブル４の中心部における導電線（例えば銅線）である。被覆４ｂは心線４ａの外側を覆う絶縁物であり、さらに、外被４ｃは被覆４ｂの外側を覆う絶縁物である。尚、端子台１０との接続が行われる側における出力ケーブル４の端部の被覆４ｂ及び外被４ｃは、図１１に示すように、心線４ａを露出させるべく所定位置まで剥がされている。
【００１０】
圧着端子６は、例えば中央に開口部を有する、丸形の導電体である。また圧着端子６は、出力ケーブル４との接合が行われる筒部６ａを当該圧着端子６の外周の一部に有している。圧着端子６と出力ケーブル４は、圧着端子６の筒部６ａに出力ケーブル４の心線４ａを挿入した状態において、筒部６ａを圧着工具（不図示）で、かしめることによって接合される。
【００１１】
図１１および図１２で示すように、出力端子面１６に出力ケーブル４を接続するには、螺子２０ｂを、圧着端子６の開口部を通して出力端子１６の螺子孔１２に螺合させる。すると、圧着端子６は出力端子面１６と固着するため、出力ケーブル４と、出力端子面１６が圧着端子６を介して電気的に接続される。
【特許文献１】特開平９−７６５４号公報
【発明の開示】
【発明が解決しようとする課題】
【００１２】
端子台１０では、当該端子台１０に接続される入力ケーブル（不図示）及び出力ケーブル４などの入出力ケーブルの一端には圧着端子６が固着されていた。そして、入出力ケーブルに圧着端子６を固着するには、筒部６ａをかしめることが必要であり、このために、時間や労力を要していた。このように、従来の端子装置では、入出力ケーブルを迅速かつ容易に接続することができないという問題点があった。
【００１３】
また、入出力ケーブルに圧着端子６を固着するには、例えば作業員が圧着工具を用いて筒部６ａをかしめることになるため、かしめの強度にばらつきが生じることになった。よって、入出力ケーブルを接続するのに十分な強度でかしめられていない場合には、例えば出力ケーブル４の心線４ａが筒部６ａから抜けてしまう虞があるという問題点があった。
【００１４】
本発明はかかる課題に鑑みてなされたものであり、その目的とするところは、導電線を、迅速かつ容易に接続することができる端子装置を提供することにある。
【課題を解決するための手段】
【００１５】
前記課題を解決するための発明は、螺子が螺合される螺子孔を有する端子面と、前記螺子孔の内周面の一部が窪んだ溝部と、を備え、前記溝部は、導電線が前記螺子で前記端子面に圧着される場合、前記導電線が前記螺子の周囲に巻回される前に挿入されるものである、ことを特徴とする。導電線を接続する際に圧着端子を用いる必要がなくなるので、導電線を迅速かつ容易に接続することができる。
【００１６】
また、かかる端子装置において、前記溝部の面は、前記導電線を抜け難くするための尖り形状であることが好ましい。導電線と尖り形状の頂点が接触するため導電線を抜けにくくすることができる。
【００１７】
さらに、かかる端子装置において、前記尖り形状は、鋸歯形状であることとしてもよい。導電線を引き抜く方向が鋸歯の頂点に引っかかる形状となるため導電線をさらに抜けにくくすることができる。
【００１８】
また、かかる端子装置において、前記溝部に挿入された導電線は、前記螺子が前記螺子孔に螺合されることにより、前記螺子と前記溝部との間に圧着されることが好ましい。導電線が、螺子と溝部との間に圧着されることにより、導電線を端子面に容易に固定することができる。
【００１９】
また、かかる端子装置において、前記溝部の方向は前記螺子の螺合方向であることとしてもよい。導電線を螺子の周囲に何れの方向（螺子の頭部側から見て時計方向又は反時計方向）に巻き回すとしても、導電線を抜け難くすることができる。
【００２０】
また、かかる端子装置において、前記溝部の方向は前記螺子の螺合方向と交差する方向であることとしてもよい。導電線を巻き回す方向が一方向に予め定められている場合には、導電線を巻き回す方向（例えば図３（ｂ）の＋ｚ方向）に対して鋭角になる方向（例えば図３（ｂ）に示すようにｙ方向に斜め）に溝部を設けると、導電線を抜け難くするのに効果的である。
【００２１】
また、かかる端子装置において、前記溝部は、複数であることが好ましい。複数の溝部を設けることで１つの端子面に複数の導電線を接続することができる。また、従来では、１つの端子面に複数の導電線を接続する場合、複数の導電線に圧着端子を設け、複数の圧着端子を重ねて螺子によって端子面に固定していた。そのため、１つの圧着端子を１つの端子面に固定する場合に比べて螺子の締め付けが弱くなることがあり、螺子の締め付けが弱くなった場合には、複数の圧着端子同士が遊離して接触不良を発生する可能性があった。本発明の端子装置では、圧着端子を用いないので、複数の導電線を１つの端子面に設ける場合に接触不良を無くすことができる。
【００２２】
また、かかる端子装置において、前記複数の溝部の大きさは、異なることが好ましい。異なる大きさの溝部を設けることにより、線径の違う導電線を１つの端子面に接続することができる。
【００２３】
また、かかる端子装置において、前記導電線はケーブルの心線であることが好ましい。端子装置を端子台に適用すると、入出力ケーブルの心線を迅速かつ容易に接続することができる。
【発明の効果】
【００２４】
本発明によれば、導電線を迅速かつ容易に接続することができる。
【発明を実施するための最良の形態】
【００２５】
本明細書及び添付図面の記載により、少なくとも以下の事項が明らかとなる。尚、本実施の形態では、本発明の端子装置を端子台に適用した場合について説明する。
【００２６】
＝＝＝端子装置の構成＝＝＝
図１は、本発明の実施形態に係る端子装置を用いた端子台の一例を示す斜視図である。また、図２は図１のＡ−Ａ′の断面図である。図１に示すように端子台の各辺に沿って、ｘ方向、ｙ方向、ｚ方向とし、矢印の向きを＋側、反対側を−側とする。
【００２７】
本発明の端子台１００は、例えば直方体で形成されており、−ｙ側の面Ｆには、複数の入力端子面１４０と、複数の出力端子面１６０とがそれぞれｚ方向（垂直方向）に沿って設けられている（図１では、複数の入力端子面１４０と複数の出力端子面１６０のうちｘ方向に隣接する１部分を示している）。入力端子面１４０には、例えば電圧変成器（不図示）からの母線電圧が印加される入力ケーブル（不図示）が接続され、複数の出力端子面１６０には、例えば計測回路や保護回路などに母線電圧を出力する出力ケーブル４０が接続される。
【００２８】
また、入力端子面１４０は、螺子２００ａ（雄螺子）が螺合される螺子孔１２０を有し、出力端子面１６０は、螺子２００ｂ（雄螺子）が螺合される螺子孔１１０を有している。
【００２９】
さらに、本発明の端子装置を用いた端子台１００は、図２に示すように、螺子孔１１０の内周面の一部（例えばｘ方向＋側）が窪んだ溝部１１２を有し、螺子孔１２０の内周面の一部（例えばｘ方向−側）が窪んだ溝部１２２を有している。また、端子台１００において、図１および図２に示す斜線部分は、導電体で形成されている。そして、螺子孔１１０と、溝部１１２の斜線部分は出力端子Ｔ２を構成し、螺子孔１２０と、溝部１２２の斜線部分は入力端子Ｔ１を構成している。また、例えば、螺子孔１１０の＋ｙ側の底面Ｓ２と、螺子孔１２０の＋ｙ側の底面Ｓ１とは、端子台１００の内部において導電線１３０によって電気的に接続されている。端子台１００において、導電体以外の部分は、主として樹脂（例えばフェノール樹脂）であり、一体形成されている。
【００３０】
尚、溝部１１２は、螺子２００ｂの螺合方向（以下、ｙ方向とする）に平行に設けられていてもよいし、ｙ方向と交差する方向に設けられていてもよい。また、同様に溝部１２２は、螺子２００ａの螺合方向（以下ｙ方向とする）に平行に設けられていてもよいし、ｙ方向と交差する方向に設けられていてもよい。
【００３１】
図３は、図２において心線４０ａを挿入した溝部１１２をＢ方向から見た側面図である。図３（ａ）は溝部１１２をｙ方向に平行に設けた場合を示すものであり、図３（ｂ）は溝部１１２をｙ方向と交差する方向（ｙ方向に斜め）に設けた場合を示すものである。尚、図３（ｂ）において紙面表側をｘ方向＋側とし、紙面裏側をｘ方向−側とする）螺子２００ｂが螺子孔１００に螺合される場合、心線４０aは、溝部１１２に挿入されることによって、螺子２００ｂと溝部１１２との間に挟まれることになる。
【００３２】
図３（ａ）に示すように溝部１１２をｙ方向に平行に設けると、心線４０ａを螺子２００ｂの螺子周囲に時計方向に巻き回す場合、又は反時計方向に巻き回す場合において、同様に心線４０ａを抜け難くすることができる。
【００３３】
尚、図３（ｂ）において、心線４０ａを巻き回す方向が＋ｚ方向に定められている場合には、螺子２００ｂを締め付けたとき、図３（ｂ）に示すように、心線４０ａの曲がり角Ｃ（巻き回す方向と溝部１１２との角度）が鋭角になるように溝部１１２を設けておくと、図３（ａ）の場合より心線４０ａを抜け難くすることができる。また、本実施の形態では、溝部１１２をｙ方向と交差する方向として、ｙ方向に斜めに設けることとしたが、例えば溝部１１２をｘ方向＋側に向けて斜めに設けるようにしてもよい。溝部１１２をｘ方向に斜めに形成した場合においても、心線４０ａを抜け難くすることができる。
【００３４】
また、溝部１１２において心線４０ａと対向する面には、例えば、図２に示すように螺子孔１１０の内周面の螺子溝形状と同様の尖り形状を設けている。また、溝部１２２において、入力ケーブルの心線（不図示）と対向する面にも同様に、螺子孔１２０の内周面の螺子溝形状と同様の尖り形状を設けている。このように溝部１１２、１２２の面を尖り形状とすることによって、入出力ケーブルの心線を挿入して螺子２００ａ、２００ｂを螺合する際に、心線が尖り形状の頂点に接触することによって抜け難くすることができる。尚、溝部１１２、１２２において、尖り形状を設けるのは、入出力のケーブルの心線と対向する全ての面としてもよいし、前記対向する一部の面としてもよい。
【００３５】
また、溝部１１２及び溝部１２２における尖り形状を、例えば鋸歯状に形成してもよい。図４は、螺子孔１１０の内周面において、心線４０ａと対向する面を鋸歯状とした溝部１１５を設けた場合を示す断面図である。このように、鋸歯状とした場合、心線を引き抜こうとする方向が、鋸歯状の頂点が心線に引っかかる方向になるため、ケーブルの心線をさらに抜け難くすることができる。
【００３６】
本発明の端子装置を用いた端子台１００において、入力端子面１４０側（以下、入力側とする）と出力端子面１６０側（以下、出力側とする）の構成は同様であり、入力ケーブルと出力ケーブルの接続方法も同じである。よって、以下の説明では出力側のみについて説明し、入力側の説明を省略する。
【００３７】
出力ケーブル４０は、不図示の回路（例えば計測回路や保護回路）と出力端子面１６０の出力端子Ｔ２とを電気的に接続するものである。出力ケーブル４０は、心線４０ａ、被覆４０ｂ、外被４０ｃを有して構成されている。心線４０ａは、出力ケーブル４０の中心部における導電線（例えば銅線）である。被覆４０ｂは、心線４０ａの外側を覆う絶縁物であり、さらに外被４０ｃは被覆４０ｂの外側を覆う絶縁物である。尚、端子台１００との接続が行われる側における出力ケーブル４０の端部の被覆４０ｂ及び外被４０ｃは、図１に示すように心線４０ａを露出させるべく所定位置まで剥がされている。
【００３８】
＝＝＝ケーブルの接続＝＝＝
図２、図５、図６および図７を参照しつつ、本発明の端子装置を用いた端子台とケーブルとの接続について説明する。
【００３９】
図５は、本発明の端子装置を用いた端子台１００に出力ケーブル４０を接続する場合を説明するための断面図であり、図６は、本発明の端子装置を用いた端子台１００に出力ケーブル４０を接続する場合を説明するための平面図である。また、図７は本発明の端子装置を用いた端子台１００に出力ケーブル４０を接続した状態を示す平面図である。
【００４０】
まず、図２に示すように、端子台１００の螺子孔１１０に設けられた溝部１１２に出力ケーブル４０の心線４０ａの先端を＋ｙ方向に挿入し、次に螺子２００ｂを螺子孔１１０に螺合させる。
【００４１】
すると、図５に示すように、出力ケーブル４０の心線４０ａは、螺子２００ｂと溝部１１２との間に挟まれる。さらに、心線４０ａは、出力端子面１６０と螺子２００ｂの頭部との間に挟まれる。このとき、心線４０ａは、例えば、螺子２００ｂと溝部１１２とに接している状態でもよいし、螺子２００ｂと溝部１１２との間に圧着されていてもよい。圧着されるようにすると、より確実に心線４０ａを接続することができる。
【００４２】
そして、螺子２００ｂの締め付けを初めてから締め付けが終わるまでの間に、出力ケーブル４０の心線４０ａを、図６に示すように、螺子２００の螺子周囲に、例えば一周巻き回すようにする。
【００４３】
このように、心線４０ａを、螺子２００の螺子周囲に巻き付けた後、さらに螺子２００を締め付けることにより、図７に示すように、心線４０ａは、螺子２００ｂと溝部１１２との間に、挟まれるとともに、出力端子面１６０の出力端子Ｔ２と螺子２００ｂとの間に圧着されることになる。
【００４４】
このように、本発明の端子装置を用いた端子台１００は、圧着端子を用いることなく、出力ケーブル４０の心線４０aを出力端子面１６０の出力端子Ｔ２に迅速かつ確実に接続することができる。また、同様に、入力ケーブルの心線（不図示）を入力端子面１４０の入力端子Ｔ１に迅速かつ確実に接続することができる。
【００４５】
尚、本実施の形態では螺子孔１１０の一部が窪んだ溝部１１２を設けることとしたが、螺子孔１１０の一部を切り欠いてもよい。
【００４６】
図８は、螺子孔１１０の一部を切り欠いた場合を示す正面図である。図８に示す螺子孔１１０には、当該螺子孔１１０の一部を切り欠いた切欠溝２２２が設けてられている。切欠溝２２２において、心線４０ａと対向する面に、例えば図２に示すように、螺子孔１１０の内周面の螺子溝形状と同様の尖り形状を設けてもよい。尖り形状を設けることにより、心線４０ａを挿入して螺子２００ａを螺合する際に、心線４０ａが尖り形状の頂点に接触することによって抜け難くすることができる。尚、この場合、出力端子面１６０の樹脂部分を切り欠くことになるため、尖り形状は樹脂で形成されることになる。
【００４７】
出力ケーブル４を接続する場合、切欠溝２２２に出力ケーブル４の心線４ａを挿入し、螺子２００ｂを螺子孔１１０に螺合させる。そして螺子２００ｂの締め付けの始まりから締め付けの終わりまでの間に螺子２００ｂの螺子周囲に心線４ａを、例えば一周巻き回す。その後、螺子２００ｂを締め付ける。このことにより、心線４ａは出力端子面１６０の出力端子Ｔ２と螺子２００ｂに圧着されることになる。
【００４８】
＝＝＝その他の実施形態＝＝＝
図９は、本発明の他の実施形態にかかる端子装置を用いた端子台の螺子孔を示す正面図である。なお、図１と同じ部分には同一符号を付し説明を省略する。図９に示す螺子孔３１０は、例えば端子台１００の出力ケーブル４０が接続される出力端子面１６０に配設されたものである。また、螺子孔３１０には、溝部３１２ａ、３１２ｂ、３１４ａ、３１４ｂ、３１６ａ、３１６ｂが任意の位置に設けられている。
【００４９】
溝部３１２ａ、３１２ｂは、紙面に示す窪み部分の断面積が、所定値（例えば、３．５ｍｍ２）のものである。  
溝部３１４ａ、３１４ｂは、紙面に示す窪み部分の断面積が、前記所定値より小さい（例えば、２ｍｍ２）ものである。  
溝部３１６ａ、３１６ｂは、紙面に示す窪み部分の断面積が、前記所定値より大きい（例えば、５ｍｍ２）ものである。
【００５０】
大きさが異なる溝部３１２ａ、３１２ｂ、３１４ａ、３１４ｂ、３１６ａ、３１６ｂを螺子孔３１０に設けることによって、心線４０ａの断面積の大きさに関わらす出力ケーブル４０を接続することが可能となる。また、例えば１つの溝部３１６ａに、例えば心線４０ａの断面積が２ｍｍ２の出力ケーブル４を２本接続するようにしてもよい。また、溝部３１４ａと溝部３１４ｂに、心線４０ａの断面積が２ｍｍ２の出力ケーブル４０をそれぞれ接続するようにしてもよい。
【００５１】
また、溝部３１２ａ、３１２ｂ、３１４ａ、３１４ｂ、３１６ａ、３１６ｂの心線４０ａと対向する面にそれぞれ、例えば、図２と同様に、螺子孔３１０の内周面の螺子溝形状と同様の尖り形状を設けてもよい。
【００５２】
このように、溝部３１２ａ、３１２ｂ、３１４ａ、３１４ｂ、３１６ａ、３１６ｂを螺子孔３１０に設けると、１つの螺子孔３１０に、複数の出力ケーブル４０を接続することができる。さらに、出力ケーブル４０を心線４０ａの断面積の大きさに関わらず接続することができる。
【００５３】
尚、本実施の形態では、螺子孔３１０が窪んだ溝部３１２ａ、３１２ｂ、３１４ａ、３１４ｂ、３１６ａ、３１６ｂを設けることとしたが、螺子孔３１０を切り欠いた切欠溝を設けてもよい。
【００５４】
図１０は、螺子孔３１０を切り欠いた場合を示す正面図である。溝部３１２ａ、３１２ｂ、３１４ａ、３１４ｂ、３１６ａ、３１６ｂに対応する位置にそれぞれ切欠溝３２２ａ、３１２ｂ、３２４ａ、３２４ｂ、３２６ａ、３２６ｂを設けている。このように複数の切欠溝３２２ａ、３１２ｂ、３２４ａ、３２４ｂ、３２６ａ、３２６ｂを設けた場合でも、１つの螺子孔３１０に複数の出力ケーブル４０を接続することができる。また、切欠溝３２２ａ、３１２ｂ、３２４ａ、３２４ｂ、３２６ａ、３２６ｂにそれぞれ尖り形状を設けてもよい。この場合図８と同様に尖り形状は樹脂で形成されることになる。
【００５５】
本実施の形態では、端子装置を端子台に適用した場合について説明したが、本発明の端子装置は、端子台以外にも、螺子を螺子孔に螺合させることによって導電線と電気的に接続される端子を有するものに適用することができる。
【００５６】
以上説明したように、本発明の端子装置は、導電線の接続を迅速かつ確実に行うことができる。例えば本発明の端子装置を端子台に適用した場合、入出力ケーブルの心線に圧着端子を設ける必要がなくなり、入出力ケーブルの接続を迅速かつ確実に行うことができる。
【００５７】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００５８】
【図１】本発明の実施形態に係る端子装置を用いた端子台を説明するための斜視図である。
【図２】本発明の実施形態に係る端子装置を用いた端子台を説明するための断面図である。
【図３】本発明の実施形態に係る端子装置を用いた端子台を説明するための側面図である。図３（ａ）は溝部をｙ方向に平行に設けた場合を示すものであり、図３（ｂ）は溝部をｙ方向と交差する方向に設けた場合を示すものである。
【図４】本発明の実施形態に係る端子装置の溝部を鋸歯状とした場合を示す断面図であるである。
【図５】本発明の端子装置にケーブルを接続する場合を説明するための断面図である。
【図６】本発明の端子装置にケーブルを接続する場合を説明するための平面図である。
【図７】本発明の端子装置にケーブルを接続した場合を説明するための平面図である。
【図８】螺子孔を切り欠いた場合を示す正面図である。
【図９】本発明の他の実施形態にかかる端子装置を説明するための正面図である。
【図１０】螺子孔を切り欠いた場合を示す正面図である。
【図１１】従来の端子装置を用いた端子台を説明するための平面図である。
【図１２】従来の端子装置を用いた端子台を説明するための断面図である。
【符号の説明】
【００５９】
１０、１００  端子台
４、４０  出力ケーブル
４ａ、４０ａ  心線
４ｂ、４０ｂ  被覆
４ｃ、４０ｃ  外被
６    圧着端子
６ａ  筒部
１２、１１０、１２０  螺子孔
１４、１４０  入力端子面
１６、１６０  出力端子面
２０ａ、２０ｂ  螺子
１１２、１２２  溝部
１３０  導電線
２００ａ、２００ｂ  螺子
２２２  切欠溝
３１２ａ、３１２ｂ  溝部
３１４ａ、３１４ｂ  溝部
３１６ａ、３１６ｂ  溝部
３２２ａ、３２２ｂ  切欠溝
３２４ａ、３２４ｂ  切欠溝
３２６ａ、３２６ｂ  切欠溝
Ｔ１  入力端子
Ｔ２  出力端子
【図１】
2007213853.tif 000003
【図２】
2007213853.tif 000004
【図３】
2007213853.tif 000005
【図４】
2007213853.tif 000006
【図５】
2007213853.tif 000007
【図６】
2007213853.tif 000008
【図７】
2007213853.tif 000009
【図８】
2007213853.tif 000010
【図９】
2007213853.tif 000011
【図１０】
2007213853.tif 000012
【図１１】
2007213853.tif 000013
【図１２】
2007213853.tif 000014